(57)【要約】      （修正有）【課題】着用しやすく、使用感がよいリストバンド兼用タオルを提供する。【解決手段】リストバンド兼用タオル１は、相互に平行な第１の辺１１および第２の辺１２と、これに垂直な第３の辺１３および第４の辺１４を有する略正方形状であり、第１の辺１１に沿った方向に伸縮するタオル生地であるタオル本体部を有し、タオル本体部において第１の辺１１と第３の辺１３で第１の辺側の３分の１の長さの部分および第４の辺１４で第１の辺側の３分の１の長さの部分を辺とする長方形領域内に円形凹凸留め具３，４，５，６が設けられ、この円形凹凸留め具のうち、所定間隔を有する１対の円形凹凸留め具よりなる第１の留め具群１５が上記長方形領域内の第３の辺付近１３に設けられており、第１の留め具群１５の留め具と係合する第２の留め具群１６が上記長方形領域内の第４の辺付近１４において第１の留め具群１５とは反対面に向いて設けられている。【選択図】図１
0003144097.tif 000002
【実用新案登録請求の範囲】
【請求項１】
相互に平行な第１の辺および第２の辺と、第１の辺に垂直な第３の辺および第４の辺を有する実質的に正方形状であり、
第１の辺に沿った方向に１７０〜１８０％の伸縮性を有するタオル生地であるタオル本体部を有し、
この実質的に正方形であるタオル本体部において第１の辺と第３の辺で第１の辺側の３分の１の長さの部分および第４の辺で第１の辺側の３分の１の長さの部分を辺とする長方形領域内に円形凹凸留め具が設けられており、
この円形凹凸留め具のうち、所定間隔を有する１対の円形凹凸留め具よりなる第１の留め具群が上記長方形領域内の第３の辺付近に設けられており、
第１の留め具群の留め具と係合する第２の留め具群が上記長方形領域内の第４の辺付近において第１の留め具群の留め具とは反対面に向いて設けられていることを特徴とするリストバンド兼用タオル。
【考案の詳細な説明】
【技術分野】
【０００１】
この考案は、折りたたむことによってリストバンドとして使用できるハンカチ形のタオルに関するものである。
【背景技術】
【０００２】
リストバンドとして、筒編みされた製品は広く普及している。しかし、筒編みによって形成されるので、編みによる模様しか付すことはできず、織模様に比べて変化に乏しい。また、全体にプリントを施すこともできず、外観的な魅力に乏しいものである。
【０００３】
特許文献１から特許文献５には、折りたたむことによってリストバンドとして使用できるハンカチ形のタオルが記載されている。
【特許文献１】特開２００２−２２９８６８号公報
【特許文献２】登録実用新案３０４８７７９号公報
【特許文献３】登録実用新案３１１４６０９号公報
【特許文献４】登録実用新案３１１５２８７号公報
【特許文献５】登録実用新案３１３７２２３号公報
【考案の開示】
【考案が解決しようとする課題】
【０００４】
特許文献１から特許文献５に記載されたリストバンドは、通常のタオルと同様の伸縮性のない素材を使用している。したがって、リストバンドとして使用したときに、十分に手首に密着しない。
【０００５】
また、特許文献１から特許文献４に記載された考案では、タオル表面に設けられた面ファスナーによって接続することによってリストバンドの形状を形成する。しかし、洗濯時にこの面ファスナー同士がからみあったり、面ファスナーの表面に糸くずがからみついて接着力が低下するので、実用に耐えない。
【０００６】
一方、特許文献５に記載された考案では、円形凹凸留め具によって着脱を行うので、面ファスナーのように糸くずの絡みつきは生じない。しかし、一組の円形凹凸留め具だけでは点での接続しか行えず、使用中に接続部がずれてしまい、リストバンドの形状を維持することができない。また、使用者の手首の太さによって、接続位置を調整するために、受け側の留め具を３個以上並列して設けているが、これではリストバンドとして使用しているときに、２個以上の留め具が開放状態となる。この開放状態の留め具が顔などに当たると痛かったり、不快だったりするので、汗を拭くためのようなタオルとしての使用には適さない。
【０００７】
また、特許文献１，２，５に記載されたものは正方形状ではなく、突出部を有する。このような突出部は痛みやすいので、十分な補強が必要であり、コストが高くなる。また、ハンカチとして使用する場合には、このような突出部は邪魔になる。
【０００８】
この考案は、着用しやすく、使用感がよいリストバンドとして使用できるタオルを提供することを目的とする。
【課題を解決するための手段】
【０００９】
上述の課題を解決するため、この考案のリストバンド兼用タオルは、
相互に平行な第１の辺および第２の辺と、第１の辺に垂直な第３の辺および第４の辺を有する実質的に正方形状であり、
第１の辺に沿った方向に１７０〜１８０％の伸縮性を有するタオル生地であるタオル本体部を有し、
この実質的に正方形であるタオル本体部において第１の辺と第３の辺で第１の辺側の３分の１の長さの部分および第４の辺で第１の辺側の３分の１の長さの部分を辺とする長方形領域内に円形凹凸留め具が設けられており、
この円形凹凸留め具のうち、所定間隔を有する１対の円形凹凸留め具よりなる第１の留め具群が上記長方形領域内の第３の辺付近に設けられており、
第１の留め具群の留め具と係合する第２の留め具群が上記長方形領域内の第４の辺付近において第１の留め具群の留め具とは反対面に向いて設けられていることを特徴とする。
【考案の効果】
【００１０】
この考案のリストバンド兼用タオルは、略正方形のハンカチの形状を有するのでタオル織物として形成され、織柄やプリントによって自由に模様を付すことができ、変化に富んだ外観を得ることができる。洗濯しやすく、しかも容易に着用でき、ずれにくく使用感にも優れている。
【考案を実施するための最良の形態】
【００１１】
この考案を実施するための最良の形態について説明する。図１はリストバンド兼用タオルの展開状態を示す平面図であり、図２はリストバンド兼用タオルの使用状態を示す斜視図である。
【００１２】
リストバンド兼用タオル１は、タオル本体部２と、このタオル本体部２に取り付けられた円形凹凸留め具３，４，５，６を有する。
【００１３】
タオル本体部２は実質的に正方形状であり、相互に平行な第１の辺１１および第２の辺１２と、第１の辺に垂直な第３の辺１３および第４の辺１４を有する。少なくとも第１の辺に沿った方向に１７０〜１８０％の伸縮性を有するタオル生地よりなる。ここでは、第１の辺１１および第２の辺１２の方向に沿って伸縮性を有し、第３の辺１３および第４の辺１４の方向にはほとんど伸縮しないものとした。
【００１４】
タオル本体部２の製造方法の例について説明する。経糸には太さ４０ｄｔｅｘ〜１１０ｄｔｅｘ程度の伸縮性の糸を使用する。ここでは、太さ７０ｄｔｅｘ〜１１０ｄｔｅｘ程度のポリウレタン糸を使用した。横糸には３０番手〜１０番手の綿糸を、また上下のパイル糸には３０番手〜１０番手の綿糸を使用し、タオル生地を織製した。
【００１５】
ついで、このタオル生地を長方形状に裁断する。横糸方向に沿った長さは、ほぼ最終製品の第３の辺１３および第４の辺１４の長さになる。一方、経糸方向においては、水洗いによる収縮に基づいて、その長さを決定する。例えば、水洗いによって半分程度に収縮する場合には、予め第３の辺１３および第４の辺１４の長さの２倍程度の長さになるように裁断する。
【００１６】
長方形状に裁断されたタオル生地は水洗い処理を施される。ここでは２回の水洗いを行った。この水洗い処理および乾燥処理によってポリウレタン糸は収縮し、裁断されたタオル生地はほぼ正方形状となる。４辺端部を縫製し、端部処理を行ってタオル本体部を完成させる。例えば、大人用としては、１辺の長さを２０ｃｍ程度とし、子供用としては１６ｃｍ程度とする。ここでは、１辺の長さを２０ｃｍとした。
【００１７】
タオル本体部はタオル織物として作られるので、所望の織柄を付けることができる。また、プリントによっても模様を作ることができる。図１において表れる面を表面とする。したがって、模様を施す場合は、特に図１において表れる面に施すようにする。
【００１８】
円形凹凸留め具３，４，５，６は、プラスチック製の凹凸係合により接続を行うホックを使用する。ここで、円形凹凸留め具３，４，５，６は、タオル本体部１のうち、上部側のほぼ３分の１の面積の長方形領域内に設けられる。すなわち、図１において、第１の辺１１が上辺とし、第３の辺１２で第１の辺側の３分の１の長さの部分が左辺であり、第４の辺で第１の辺側の３分の１の長さの部分が右辺であるような長方形領域内に円形凹凸留め具が設けられる。
【００１９】
２個の円形凹凸留め具３，４は所定間隔を置いて対で設けられており、第１の留め具群１５を構成する。また、円形凹凸留め具５，６も第１の留め具群１５と同一の間隔を置いて対で設けられており、第２の留め具群１６を構成する。第１の留め具群１５は、上部の長方形領域内で、左辺に近い部位に設ける。円形凹凸留め具３，４の係合部は裏面側に表れるようにしている。一方、第２の留め具群１６は左辺に近い部位に、係合部が表面側に表れるように設けている。
【００２０】
ここでは、対を成す円形凹凸留め具の中心同士の間隔Ｗを３ｃｍとした。また、左辺から円形凹凸留め具３，４の中心までの距離は１ｃｍ以内、右辺から円形凹凸留め具５，６の中心までの距離は２ｃｍとした。すなわち、第２の留め具群１６の方が、第１の留め具群１５よりもやや中央よりに取り付けられている。
【００２１】
ついで、このリストバンド兼用タオルの使用方法について説明する。ハンカチ形のタオルとして使用する場合には、円形凹凸留め具３，４，５，６を接続しない。開いた状態や４つ折り状態などで、通常のハンカチ形タオルとして使用する。タオル織物なので、吸水力があり、また肌触りもよい。
【００２２】
リストバンドとしての使用する場合、まず、３つ折りにする。第２の辺１２が最も内側になり、円形凹凸留め具３，４，５，６が設けられている長方形領域が表に表れるように折る。ここで、第２の留め具群１６の円形凹凸留め具５，６の係合面が表れるようにする。こうして、第１の辺１１に沿って横長の長方形状になる。
【００２３】
ついで、この３つ折りの状態のタオルを巻いて筒状にする。上記の長方形領域が外向きになるようにして、筒の形状を作り、円形凹凸留め具３，４と円形凹凸留め具５，６を接続する。こうして、リストバンドが形成される。このリストバンドに手首を通すことによって、着用することができる。
【００２４】
３つ折りの状態のタオルの端部同士の接続において、第２の留め具群１６が第１の留め具群１５より内層側となる。ここで、第２の留め具群１６は端部からの距離を十分とった位置に設けられている。このため、接続部において、タオル本体部の端部同士の重なる部分を十分な長さにとることができる。また、円形凹凸留め具による接続は２箇所であり、しかも所定の間隔がおかれている。したがって、端部おける接続は安定しており、使用中に外れたり、リストバンドの形状が崩れたりすることがない。
【００２５】
このリストバンドの円周はタオル本体２の第１の辺１１に沿っている。したがって、円周方向に沿って伸縮性を有する。この円周方向の伸縮によってリストバンドの環の大きさを広げることができ、使用者の手首の太さにある程度の違いが合っても、良好な密着性を有する。特別なサイズ調整機構は不要となる。
【００２６】
タオル本体２の第２の辺１１の辺１２はリストバンドの内部に隠されるので、使用者の肌と接触しない。第１の辺１１は最外面に表れるが、円形凹凸留め具によって２箇所で接続されているので、捲り上がりにくい。また、この第１の辺１１は筒の外面にあるので、着用のために手首を通す際にも肌と第１の辺１１は接触しない。したがって、図２においてＡ方向から手を入れても、あるいはＢ方向から手を入れても、リストバンドの形状が崩れない。
【図面の簡単な説明】
【００２７】
【図１】リストバンド兼用タオルの展開状態を示す平面図である。
【図２】リストバンド兼用タオルの使用状態を示す斜視図である。
【符号の説明】
【００２８】
１．リストバンド兼用タオル
２．タオル本体部
３，４，５，６  円形凹凸留め具
１１．第１の辺
１２．第２の辺
１３．第３の辺
１４．第４の辺
１５．第１の留め具群
１６．第２の留め具群
【図１】
0003144097.tif 000003
【図２】
0003144097.tif 000004